(57)【要約】      （修正有）【課題】収納性を考慮した折り畳み式テーブル、テーブルから容易に取り外し可能な引出し式椅子を提供する。【解決手段】天板２１０と、天板２１０に対して可倒可能に取り付けられている複数の脚部２５０と、脚部２５０を折り畳み状態に維持するストッパー２６０とを有し、折り畳み状態のときに平らな床面に置くことにより自立できる折り畳み式テーブルとする。Ｕ字状アーム部材と、これに着脱自在に装着される座席部３５０と、テーブルの天板の下面に取り付けられ、Ｕ字状アーム部材を前進後退可能に保持する一対のガイド部材３１０と、Ｕ字状アーム部材の先端部にそれぞれ着脱自在に装着される抜け止め部材３７０とを有する引出し式椅子とする。【選択図】    図２
2005027764.tif 000002
【特許請求の範囲】
【請求項１】
天板と、前記天板から起立状態と折り畳み状態との間で可倒可能に前記天板に対して直接又は間接的に取り付けられている複数の脚部とを有し、
前記脚部を折り畳んだときに前記脚部を前記折り畳み状態に維持するストッパーと、
前記脚部の折り畳み状態のときの複数の前記脚部の突出している一端縁のそれぞれと前記天板の突出している少なくとも一端縁とがほぼ同一面上に存し、複数の前記脚部の一端縁と前記天板の一端縁とを平らな床面に置くことにより自立できることを特徴とする折り畳み式テーブル。
【請求項２】
請求項１記載の折り畳み式テーブルにおいて、
前記脚部の上端から常時は突出している出没自在な固定用ピンと、前記天板の下面に前記脚部を起立状態にしたときに前記固定用ピンの突出した先端部が挿入される挿入孔が設けられていることを特徴とする折り畳み式テーブル。
【請求項３】
請求項２記載の折り畳み式テーブルにおいて、
起立状態の前記脚部に対して折り畳み状態へ付勢する付勢手段が設けられていることを特徴とする折り畳み式テーブル。
【請求項４】
一対の直線状アーム部とその後端側をそれぞれ接続する差し渡し部とを含むアーム部材と、
前記アーム部材の後端側に着脱自在に装着されている幼児を着座させる座席部と、
テーブルの天板の下面に取り付けられ、一対の前記直線状アーム部のそれぞれを前進後退可能に保持する一対のガイド部材と、
前記一対の直線状アームの先端部にそれぞれ着脱自在に装着され、前記ガイド部材から前記一対の直線状アームが抜けることを防止する抜け止め部材と
を有することを特徴とする引出し式椅子。
【請求項５】
請求項４記載の引出し式椅子において、
前記ガイド部材が、前記直線状アーム部を滑らせる回転ローラを備えることを特徴とする引出し式椅子。
【請求項６】
請求項４記載の引出し式椅子において、
前記抜け止め部材が、前記テーブルの天板の下面を転がる回転ローラを備えることを特徴とする引出し式椅子。
【請求項７】
請求項１〜３いずれかに記載の折り畳み式テーブルの天板の下面に請求項４〜６いずれかに記載の引出し式椅子の前記ガイド部材が取り付けられていることを特徴とする椅子付テーブル。
【発明の詳細な説明】
【０００１】
【発明の属する技術分野】
本発明は、折り畳んだときに自立できる折り畳み式テーブル、テーブルに着脱自在に取り付けられる引出し式椅子及び椅子付テーブルに関する。
【０００２】
【従来の技術】
従来より、幼児をテーブルに向かって着座させるために幼児用のベビーチェアが市販されている。また、テーブルとベビーチェアとを一体化させたテーブル付ベビーチェアが市販されている。更に、テーブルに引出し式の椅子を一体化させた引出し式あるいは伸縮式椅子が下記特許文献で知られている。
【特許文献１】
実開昭５４−５０７０４号公報
【特許文献２】
特開昭５０−１０８０６７号公報
【０００３】
【発明が解決しようとする課題】
しかしながら、ベビーチェアは、幼児が着座したときにベビーチェアの高さに合う適宜な高さのテーブルを揃える必要があり、テーブルとベビーチェアをセットで購入することになる。その結果、使用しないときにこれらのテーブルとベビーチェアの収納が不便であるという問題がある。
【０００４】
また、テーブル付ベビーチェアは、テーブルとベビーチェアが一体化しているため、比較的コンパクトであるが、幼児が大きくなったときに、テーブルとベビーチェアの両方が共に不要になり、経済的でないという問題がある。
【０００５】
また、テーブルに引出し式の椅子を一体化させた引出し式あるいは伸縮式椅子は、普通のベビーチェアと比較して、倒れる危険性が無く、しかも、余分の空間を占拠しないという利点があるが、幼児が大きくなって椅子が不要になったときに、椅子をテーブルから取り外してテーブルだけを使用することが考慮されておらず、しかも、テーブルの収納性は何ら考慮されていない。
【０００６】
本発明は、上記事情に鑑みてなされたもので、第１に、収納性を考慮した折り畳み式テーブルを提供することを目的とする。
【０００７】
第２に、テーブルから容易に取り外し可能な引出し式椅子を提供することを目的とする。
【０００８】
第３に、収納性を考慮した折り畳み式テーブルに容易に取り外し可能な引出し式椅子を装着した椅子付テーブルを提供することを目的とする。
【０００９】
【課題を解決するための手段】
上記目的を達成するため、請求項１記載の発明は、天板と、前記天板から起立状態と折り畳み状態との間で可倒可能に前記天板に対して直接又は間接的に取り付けられている複数の脚部とを有し、前記脚部を折り畳んだときに前記脚部を前記折り畳み状態に維持するストッパーと、前記脚部の折り畳み状態のときの複数の前記脚部の突出している一端縁のそれぞれと前記天板の突出している少なくとも一端縁とがほぼ同一面上に存し、複数の前記脚部の一端縁と前記天板の一端縁とを平らな床面に置くことにより自立できることを特徴とする折り畳み式テーブルを提供する。
【００１０】
この折り畳み式テーブルは、脚部を折り畳み状態にしたときに、ストッパーで折り畳み状態を維持できる。また、複数の脚部の一端縁が天板の一端縁とほぼ同一面上に存し、複数の脚部の一端縁と天板の一端縁とを平らな床面に置くことにより、自立できるようになっている。そのため、収納性に優れる。
【００１１】
請求項２記載の発明は、請求項１記載の折り畳み式テーブルにおいて、前記脚部の上端から常時は突出している出没自在な固定用ピンと、前記天板の下面に前記脚部を起立状態にしたときに前記固定用ピンの突出した先端部が挿入される挿入孔が設けられていることを特徴とする折り畳み式テーブルを提供する。
【００１２】
この折り畳み式テーブルは、脚部を折り畳み状態から起立状態に起こしたときに、脚部の上端から突出している固定用ピンの先端部が天板の下面の挿入口に自動的に進入し、そのまま脚部の起立状態を維持できる。
【００１３】
請求項３記載の発明は、請求項２記載の折り畳み式テーブルにおいて、起立状態の前記脚部に対して折り畳み状態へ付勢する付勢手段が設けられていることを特徴とする折り畳み式テーブルを提供する。
【００１４】
この折り畳み式テーブルは、起立状態の脚部の固定用ピンの先端部を挿入口から抜くと、付勢手段の付勢力で脚部が折り畳み状態へ倒れる。これにより、固定用ピンが挿入口に戻って再び起立状態となることを自動的に防止し、ワンタッチで脚部の折り畳みを開始することができる。そのため、起立状態から折り畳み状態へ脚部を動かす操作が容易になり、操作性が向上する。
【００１５】
請求項４記載の発明は、一対の直線状アーム部とその後端側をそれぞれ接続する差し渡し部とを含むアーム部材と、前記アーム部材の後端側に着脱自在に装着されている幼児を着座させる座席部と、テーブルの天板の下面に取り付けられ、一対の前記直線状アーム部のそれぞれを前進後退可能に保持する一対のガイド部材と、前記一対の直線状アームの先端部にそれぞれ着脱自在に装着され、前記ガイド部材から前記一対の直線状アームが抜けることを防止する抜け止め部材と
を有することを特徴とする引出し式椅子を提供する。
【００１６】
テーブルの天板の下面に互いに離間してほぼ平行に取り付けられているガイド部材にアーム部材の一対の直線状アーム部のそれぞれを通してこの直線状アームをガイド部材を介して前進後退可能にすると共に、直線状アームの前端に抜け止め防止の抜け止め部材を装着し、アーム部材の後端に座席部を装着することによって、引出し式椅子付テーブルを構成することができる。
【００１７】
また、抜け止め部材を取り外し、直線状アーム部をガイド部材から取り外すことによって、椅子をテーブルから取り外し、テーブルだけを使用することができる。
【００１８】
そのため、この引出し式椅子は、容易にテーブルから取り外すことができ、幼児が大きくなって椅子が不要になった場合でも、テーブルの使用を継続できるため、経済的である。
【００１９】
請求項５記載の発明は、請求項４記載の引出し式椅子において、前記ガイド部材が、前記直線状アーム部を滑らせる回転ローラを備えることを特徴とする引出し式椅子を提供する。
【００２０】
この引出し式椅子は、ガイド部材が直線状アーム部を滑らせる回転ローラを備えているため、直線状アーム部の前進後退操作の抵抗が少なくなり、椅子の引き出しと押し込め操作がスムーズになる。
【００２１】
請求項６記載の発明は、請求項４記載の引出し式椅子において、前記抜け止め部材が、前記テーブルの天板の下面を転がる回転ローラを備えることを特徴とする引出し式椅子を提供する。
【００２２】
抜け止め部材がテーブルの天板の下面を転がる回転ローラを備えるため、直線状アームの前進後退操作の抵抗が少なくなり、椅子の引き出しと押し込め操作がスムーズになる。
【００２３】
請求項７記載の発明は、請求項１〜３いずれかに記載の折り畳み式テーブルの天板の下面に請求項４〜６いずれかに記載の引出し式椅子の前記ガイド部材が取り付けられていることを特徴とする椅子付テーブルを提供する。
【００２４】
この椅子付テーブルは、テーブルが収納性に優れ、引出し式の椅子がテーブルから取り外し可能である。そのため、使用しないときは、部屋の片隅などにコンパクトな状態で置くことが可能である。また、幼児が大きくなって椅子が不要になったときは、椅子をテーブルから取り外してテーブルを単独で使用可能であり、経済性に優れる。
【００２５】
【発明の実施の形態】
以下、本発明の折り畳み式テーブル、引出し式椅子及び椅子付テーブルの実施の形態について説明するが、本発明は以下の実施の形態に限定されるものではない。
【００２６】
図１（ａ）は、本発明の椅子付テーブルの一実施形態を示す斜視図であり、図１（ｂ）は、その椅子付テーブルの脚部を折り畳んで収納するときの形態を示す正面図である。
【００２７】
この椅子付テーブル１０は、本発明の折り畳み式テーブル２００に本発明の引出し式椅子３００を装着したものである。これらの折り畳み式テーブル２００と引出し式椅子３００の詳細を図２〜図６を参照しながら説明する。図２は、脚部を透視した椅子付テーブルの側面図、図３は、テーブルの天板を透視した上面図、図４は、前方側から見た正面図であり、図５は、ガイド部材を示すもので、（ａ）は側方透視図、（ｂ）は後方正面図であり、図６は抜け止め部材を示すもので、（ａ）は上面図、（ｂ）は側方透視図である。
【００２８】
折り畳み式テーブル２００は、図３に示すように、四辺形状の板材の着座側の辺が円弧状に削り取られたような形状の破線で示す天板２１０を備える。天板２１０の下面の左右両側方側には、天板２１０の前後方向に沿って矩形状の一対の脚支持板２２０が天板２１０に接合されて立てられている。脚支持板２２０は、下側へ行くに従って外方へ広がる傾斜を有する（図４参照）。また、これらの脚支持板２２０と同じ高さの矩形状の強化板２３０が脚支持板２２０を連結して天板２１０の前方側の下面に垂直方向に固定されている。脚支持板２２０の底面には２箇所の凹部が形成され、この凹部にそれぞれ蝶番２４０の一方の固定板がその回転軸が脚支持板２２０の外方側の下角に沿うように固定されている。この蝶番２４０の他方の固定板は、左右一対の脚部２５０の上端側の内面に固定され、脚部２５０は、蝶番２４０の回転軸を中心として、脚支持板２２０を介して天板２１０に起倒可能に取り付けられている。
【００２９】
脚部２５０は、図２の破線で示すように、台形状のリング状板であり、後端側の端縁２５１は引出し式椅子の座席部３５０の後端とほぼ同じか、座席部３５０よりも後端側に突出するようになっている。脚部２５０の前端縁２５２は、図２及び図３に示すように、天板２１０の前端縁２１１とほぼ同一面上に存する。脚部２５０の底面には図示しない滑り止め用の熱可塑性エラストマーが取り付けられている。また、強化板２３０の下面中央部には、ゴムや熱可塑性エラストマー等の弾性材で構成されるさいころ状のストッパー２６０が固定されている。
【００３０】
リング状になっている脚部２５０は、図１（ｂ）及び図２に示すように、上板２５３と底板２５４とこれらを接続する斜向板２５５とを有し、上板２５３には、図４に示すように、上板２５３の厚さの中心に沿ってほぼ垂直方向に貫通する孔が穿設され、この孔に固定用ピン２７０が摺動自在に装着されている。固定用ピン２７０の頭部２７１は丸く突起状となっており、脚部２５０の上板２５３の下面から突出している。固定用ピン２７０は図示しない付勢手段で先端部２７２が脚部２５０の上端から常時は突出するように付勢され、固定用ピン２７０の先端部２７２は、脚部２５０の上板２５３の上端から常時は突出し、固定用ピン２７０の頭部２７１を掴んで引張ることにより、上板２５３の中に埋没するようになっている。また、固定用ピン２７０の先端部２７２は、押圧されることにより上板２５３の中に埋没する。このように、固定用ピン２７０の先端部２７２は、脚部２５０の上端から出没自在になっている。一方、図４に示すように、天板２１０には、脚部２５０を起立状態にしたときに固定用ピン２７０の先端部２７２が天板２１０の下面に当接する箇所に固定用ピン２７０の先端部２７２が挿入される挿入孔２１２が設けられている。
【００３１】
蝶番２４０の回転軸を中心にして脚部２５０を最も立ち上がらせると、図４に示すように、内面の上部を脚支持板２２０の外面全体に密着して下側へ行くに従って外方へ向かう脚支持板２２０と同じ傾斜で脚部２５０相互が外側に開脚した状態の起立状態となる。起立状態では、脚部２５０の上端は天板２１０の下面とごくわずか離間している。蝶番２４０の回転軸を中心にして脚部２５０を最も閉じた状態とすると、図４の破線で示すように、強化板２３０の下面に当接し、天板２１０と脚支持板２７２の垂直方向の幅だけ離間して天板２１０とほぼ平行な折り畳み状態となる。この折り畳み状態のときに、図１（ｂ）、図４に示すように、両方の脚部２５０の底面がストッパー２６０に圧着し、ストッパー２６０が変形することによってストッパー２６０が脚部２５０の下端縁を保持し、脚部２５０の折り畳み状態を維持するようになっている。脚部２５０の底面には図示しない滑り止め用の熱可塑性エラストマーが取り付けられているため、ストッパー２６０に対する摩擦抵抗が大きく、脚部２５０はストッパー２６０によって安定に保持される。
【００３２】
また、図２に示すように、脚部２５０の内面の蝶番２４０の回転軸より上の部分に付勢手段としての板バネ部材２８０が取り付けられている。この板バネ部材２８０は、脚部２５０が起立状態にあるときに、脚支持板２２０にく字状の板バネ２８１が圧接し、脚支持板２２０から脚部２５０の上側内面を外側に付勢するようになっている。これにより、板バネ部材２８０は、脚部２５０が起立状態のときに脚部２５０を折り畳み状態へ付勢する。
【００３３】
脚部２５０を折り畳み状態から起立状態に立ち上げるにつれて、固定用ピン２７０の先端部２７２は、天板２１０の下面に当接した後、押されて突出量が少なくなるが、脚部２５０が起立状態になると、挿入孔２１２内に図示しない付勢手段の付勢力で進入する。これにより、固定用ピン２７０の先端部２７２が挿入孔２１２で固定され、脚部２５０の回転位置が固定されるため、脚部２５０を起立状態に維持することができる。
【００３４】
脚部２５０が起立状態のときに、固定用ピン２７０の頭部２７１を持ち上げて固定用ピン２７０の先端部２７２を挿入孔２１２から抜くと、板バネ部材２８０の付勢力で脚部２５０がごくわずか折り畳み状態側へ回転し、固定用ピン２７０の先端部２７２が挿入孔２１２から外れ、再び固定用ピン２７０の先端部２７２が挿入孔２１２内に進入することを自動的に防止することができる。
【００３５】
この折り畳み式テーブル２００は、両方の脚部２５０を折り畳み状態にすると、ストッパー２６０で固定され、折り畳み状態が維持される。また、天板２１０の前端縁２１１と脚部２５０の前端縁２５２とが離間してほぼ同一面上に存するため、図１（ｂ）に示すように、折り畳んだテーブル２００を前端側を下にして床面に立てると、自立することができる。そのため、本発明の折り畳み式テーブル２００は、立てた状態で収納でき、収納のために必要な面積が小さくて済むため、収納性に優れる。
【００３６】
本発明の引出し式椅子３００は、本発明の折り畳み式テーブル２００に限られず、一般のテーブルにも取り付けることが可能であるが、以下の説明では、取り付けるテーブルとして、上記折り畳み式テーブル２００を採用して説明する。
【００３７】
この引出し式椅子３００は、テーブルの天板２１０の下面に取り付けられるガイド部材３１０と、椅子をテーブルに接続するためのＵ字状アーム部材３３０と、Ｕ字状アーム部材３３０に着脱自在に取り付けられる幼児が着座する座席部３５０と、Ｕ字状アーム部材３３０の先端部に着脱自在に取り付けられる抜け止め部材３７０とを有する。
【００３８】
ガイド部材３１０は、図３に示すように、一対で構成され、Ｕ字状アーム部材３３０の先端側の２本の直線状アーム部３３１の軸受けとして機能するものである。図５に示すように、ガイド部材３１０は、テーブルの天板の下面にビス等で固定される矩形板状の基板３１１とこの基板に一体に設けられているガイド部３１２とを有する。基板３１１には複数のビス孔３１３が設けられ、ビスでテーブルの天板の下面に固定される。固定される位置は、図３に示すように、直線状アーム部３３１を通せるように、ガイド部３１２が天板２１０の前後方向と平行に天板２１０の下面の両側方に取り付けられる。ガイド部３１２は、Ｕ字状アーム部材３３０の先端側の直線状アーム部３３１が内面を摺動可能なパイプ状になっており、後端側に下方に突出したローラ収納室３１４が設けられている。ローラ収納室３１４の左右方向の壁面には軸棒を両側で支持する軸受け孔３１５が設けられている。第１回転ローラ３１６は糸巻き型であり、中空の回転軸の中央部に円周方向に設けられたリング状の突起があり、軸棒３１７の中央部に設けられた円周方向の凹部と係合して第１回転ローラ３１６と軸棒３１７とは結合されている。軸棒３１７の両端がローラ収納室３１４の両壁の軸受け孔３１５に嵌められ、第１回転ローラ３１６は軸受け孔３１５に装着されたガイド部３１２の中心軸方向と直交する方向の軸棒３１７を中心にして回転可能にローラ収納室３１４に収納されている。第１回転ローラ３１６はガイド部３１２に通された直線状アーム部３３１を保持し、直線状アーム部３３１の前後方向の移動に伴って転がり、直線状アーム部３３１の前後方向の移動の抵抗を少なくできる。
【００３９】
また、ガイド部材３１０の後端側にガイド部材３１０の開口部を開閉するシャッター３２０が設けられている。シャッター３２０は、矩形板状で、上端部の両側面に軸として機能する突起が設けられている。シャッター３２０は、直線状アーム部３３１をガイド部材３１０に通しているときには、直線状アーム部３３１の上側の空間に水平方向に収納され、下端部がガイド部材３１０から突出している。直線状アーム部３３１をガイド部材３１０から取り外した後、シャッター３２０を水平方向に後側へ引き出すと、シャッター３２０の突起が図示しないガイド部材３１０の後端で停止され、シャッター３２０は突起を回転軸として自重で水平方向から垂直方向へ回転し、ガイド部材３１０の後端縁に突き当たってほぼ垂直方向で回転が停止され、ガイド部材３１０の開口部を閉塞する。そのため、引出し式椅子３００をテーブル２００から取り外した後にガイド部材３１０の開口部に指などが不用意に入らないようにすることができるため、安全である。直線状アーム部３３１をガイド部材３１０に挿入するときには、シャッター３２０の下端部を指で摘んで水平方向になるまで持ち上げ、ガイド部材３１０の中にシャッター３２０を押し込めることにより、シャッター３２０を収納することができる。
【００４０】
Ｕ字状アーム部材３３０は、図３に示すように、ガイド部材３１０を摺動する一対の金属製パイプで構成される直線状アーム部３３１とこの直線状アーム部３３１を連結する湾曲した金属製パイプで構成される差し渡し部３３２とを備え、差し渡し部３３２が直線状アーム部３３１と連続した一体のＵ字形をした金属製のパイプで構成されている。両方の直線状アーム部３３１の先端側の下側には、図２に示すように、パイプを貫通するピン孔が穿設され、このピン孔には、直線状アーム部３３１の中からピン孔に挿入され、先端部が直線状アーム部３３１の外面から外方に突出し、基端部にピン孔の内側の周辺に当接する図示しないフランジ部を有する固定用ボタン３３３が出没自在に装着されている。直線状アーム部３３１の中には、く字状に折曲された樹脂製の板バネ３３４が嵌め込まれ、固定用ボタン３３３のフランジ部を直線状アーム部３３１の内面に押し付けるように付勢し、固定用ボタン３３３の先端部が常時は直線状アーム部３３１の外面から突出するようになっている。
【００４１】
座席部３５０は、図２に示すように、布又は樹脂シート製で、比較的固い硬質板３５１をクッション部材で包んだ半月状の座板３５２を備え、折り返し部分が縫製された円弧状のパイプ通し３５３と座板３５２とが吊り下げ部３５４によって連結されている。パイプ通し３５３の上部にはクッション性に優れる背もたれ部３５５が取り付けられている。パイプ通し３５３にＵ字状アーム部材３３０を構成する直線状アーム部３３１と差し渡し部３３２を通すことによって、座席部３５０をＵ字状アーム部材３３０の後端側に着脱自在に装着することができる。
【００４２】
また、直線状アーム部３３１の先端部に着脱自在に装着する抜け止め部材３７０は、図６に示すように、直線状アーム部３３１の先端部が挿入される筒状部３７１と、筒状部３７１の前端側に一体に設けられ、上端が開口している回転ローラ収納室３７２とを備える。筒状部３７１の後端側の内面の下部には、直線状アーム部３３１の前端側の下面から突出している固定用ボタン３３３の先端部が挿入される円形の固定用孔３７３が設けられ、この固定用孔３７３と連通する脱着用孔３７４が筒状部３７１を貫通して設けられている。また、筒状部３７１の外面の脱着用孔３７４の周囲には、中心を通り、脱着用孔３７４と連通した溝が設けられた円形状の補強板３７５が筒状部３７１と一体に設けられている。
【００４３】
ローラー収納室３７２は左右の壁面に軸受け孔３７６が設けられ、この軸受け孔３７６にガイド部材３１０と同じく軸棒３７７が嵌め込まれた糸巻き型の第２回転ローラ３７８の軸棒３７７が挿入されている。第２回転ローラ３７８は、筒状部３７１の中心軸方向と直交する方向の軸棒３７７を中心にして回転可能に収納されている。第２回転ローラ３７８の上端はローラ収納室３７２の開口部の上端縁よりも上に突出している。
【００４４】
抜け止め部材３７０の筒状部３７１に直線状アーム部３３１の先端部を挿入すると、直線状アーム部３３１の固定用ボタン３３３が筒状部３７１の内面に押されて直線状アーム部３３１の外面から埋没し、直線状アーム部３３１の挿入を続けると、固定用ボタン３３３の先端が固定用孔３７３と係合して固定用ボタン３３３の先端が固定用孔３７３の中に板バネ部材３３４の付勢力で進入し、固定用ボタン３３３と固定用孔３７３とが係合する。これによって、抜け止め部材３７０が直線状アーム部３３１の先端部に固定されるようになっている。そのため、抜け止め部材３７０は、固定用ボタン３３３と固定用孔３７３との係合により、Ｕ字状アーム部材３３０に着脱自在に装着することができるようになっている。
【００４５】
抜け止め部材３７０が直線状アーム部３３１の先端部に固定されると、直線状アーム部３３１をガイド部３１２を案内として前後に動かすときに、第２回転ローラ３７８はテーブルの天板３１０の下面を転がり、直線状アーム部３３１の前進後退の動きを滑らかにする機能を有する。
【００４６】
この椅子付テーブル１０は、組み立てて使用するときには、図１（ａ）に示すように、両方の脚部２５０を開脚させると、脚部２５０が起立状態になる直前で、板バネ部材２８０の付勢力が脚部２５０の開脚の抵抗になる。更に、固定用ピン２７０の先端部２７２も天板２１０の下面に当接して押されるため、弱い抵抗が発生する。これらの抵抗に抗して更に脚部２５０を開脚させると、固定用ピン２７０の先端部２７２が図示しない付勢手段の作用で自動的に挿入孔２１２の中に進入し、脚部２５０の開脚は停止され、脚部２５０は脚支持板２２０に接して開脚した状態で固定される。そのため、この椅子付テーブル１０は、脚部２５０を開脚させるだけで脚部２５０の起立状態を維持することができる。
【００４７】
両方の脚部２５０を開脚させた状態では、脚部２５０の底面は天板２１０の左右両側縁近傍に位置すると共に、脚部２５０の後端縁２５１は座席部３５０をテーブルの天板２１０側に引き寄せた状態の座席部３５０の後端縁に近い位置にまで延伸している。一方、脚部２５０の前端縁２５２は、天板２１０の前端縁とほぼ同一面上に存する位置にある。そのため、この椅子付テーブル１０の座席部３５０に幼児が座っても極めて安定度が高い。
【００４８】
座席部３５０は、直線状アーム部３３１がガイド部材３１０を前後方向に摺動することができるため、引出し式に位置を変動させることができる。座席部の位置を変動させるときに、直線状アーム部３３１をガイド部材３１０の第１回転ローラ３１６が支持し、直線状アーム部３３１の先端部の第２回転ローラ３７８が天板２１０の下面を転がるため、座席部３５０の位置を変動させるための力は少なくて済み、スムーズな位置の変更が可能である。
【００４９】
幼児を座席部３５０に座らせるときには、座席部３５０を後部側に引き出して天板２１０と座席部３５０の間の距離を開けて座り易くし、幼児を座席部３５０に座らせた後は、座席部３５０を天板２１０側へ押し込めることにより、幼児が天板２１０の上で食事をしたり遊ぶことができる。
【００５０】
座席部３６０の座板３５２に硬質板３５１を組み込んでいるため、座席部３５０は、中空に浮いている状態でありながら、座り心地は良好である。
【００５１】
幼児を座席部３５０から取り出すときは、座席部３５０を後部側に引き出して天板２１０と座席部３５０の間の距離を開け、幼児を抱きやすくしてから幼児を取り出すことができる。
【００５２】
椅子付テーブル１０を収納するときには、両方の脚部３５０の固定用ピン２７０の頭部２７１を引き出し、固定用ピン２７０の先端部２７２を挿入孔２１２から抜き出すと、板バネ部材２８０の付勢力で脚部２５０がごくわずか脚支持板２２０から強制的に離間する。その結果、固定用ピン２７０の先端部２７２は挿入孔２１２から抜け出して天板２１０の下面を押している状態となり、固定用ピン２７０が再び挿入孔２１２に進入することが無い。図４の破線で示すように、その状態で脚部２５０を天板２１０とほぼ平行になるまで閉じると、脚部２５０は天板２１０と脚支持板２２０の幅だけ離間してストッパー２６０で折り畳み状態が維持される。そのため、脚部２５０を折り畳む動作は、固定用ピン２７０の頭部２７１を引き出し、脚部２５０を折り畳んでストッパー２６０に圧着するだけでよい。そして、脚部２５０の前端縁２５２と天板２１０の前端縁２１１とはほぼ同一面上に存するため、図１（ｂ）に示すように、脚部２５０の前端縁２５２を下にして床面に置くと、椅子付テーブル１０は自立する。そのため、収納性に優れる。
【００５３】
座席部３５０が汚れて洗濯を必要とするときは、固定用ボタン３３３を脱着用孔３７４からドライバーなどを用いて押し下げ、固定用ボタン３３３と固定用孔３７３との係合を解除しながら抜け止め部材３７０をＵ字状アーム部材３３０から両方とも抜き出す。その後、Ｕ字状アーム部材３３０をガイド部材３１０から抜き出し、座席部３５０のパイプ通し３５３をＵ字状アーム部材３３０を滑らせるようにしてＵ字状アーム部材３３０から抜き出すことができる。Ｕ字状アーム部材３３０を取り外して折り畳み式テーブル２００だけを使用するときも同様の操作でＵ字状アーム部材３３０をガイド部材３３０から抜き出す。この場合、固定用ボタン３３３が直線状アーム部３３１の外面から突出しているため、ガイド部材３１０から抜き出す際に、固定用ボタン３３３を押し下げて直線状アーム部３３１の外面から埋没させないとガイド部材３１０から抜き出せない。そのため、誤って抜け止め部材３７０を装着しなかった場合でも、固定用ボタン３３３の突出によりＵ字状アーム部材３３０がガイド部材３１０から抜けることがないため、安全性に優れる。
【００５４】
折り畳み式テーブル２００だけを使用するときには、シャッター３２０でガイド部材３１０の後端側の開口部を覆うことができる。そのため、幼児などが不用意に指などを入れることを防止することができ、安全性に優れる。
【００５５】
本発明の折り畳み式テーブル、引出し式椅子及び椅子付テーブルは、上記実施の形態に限定されるものではない。例えば、差し渡し部は円弧状で直線状アーム部と連続した一体のパイプで構成されているように説明しているが、差し渡し部は直線状アーム部を連結できれば直線状アーム部に対して直交するように接続していても差し支えない。また、脚部は一対で構成されているように説明しているが、４本の形態でも良い。更に、板バネ部材は脚支持板側に取り付けても良く、また、板バネに限らず、ゴムなどの弾性材であってもよい。また、脚部は脚支持板を介して間接的に天板に取り付けられているが、脚部を直接天板に対して取り付けるようにしてもよい。更に、ストッパーは脚部の折り畳み状態を維持できれば良く、弾性体に限らず、機構的なものでも良い。
【００５６】
【発明の効果】
本発明の折り畳み式テーブルは、良好な収納性を有する。
【００５７】
また、本発明の引出し式椅子は、テーブルから容易に取り外し可能である。
【００５８】
本発明の椅子付テーブルは、収納性が良好であると共に、椅子をテーブルから容易に取り外すことができる。
【図面の簡単な説明】
【図１】（ａ）は本発明の椅子付テーブルの一実施形態を示す斜視図であり、（ｂ）は、その椅子付テーブルの脚部を折り畳んで収納するときの形態を示す正面図である。
【図２】脚部を透視した本発明の椅子付テーブルの側面図である。
【図３】本発明の椅子付テーブルの天板を透視した上面図である。
【図４】本発明の椅子付テーブルを前方側から見た正面図である。
【図５】ガイド部材を示すもので、（ａ）は側方透視図、（ｂ）は後方正面図である。
【図６】抜け止め部材を示すもので、（ａ）は上面図、（ｂ）は側方透視図である。
【符号の説明】
１０            椅子付テーブル
２００          折り畳み式テーブル
２１０          天板
２１１          前端縁
２２０          脚部支持板
２３０          強化板
２４０          蝶番
２５０          脚部
２５１          後端縁
２５２          前端縁
３００          引出し式椅子
３１０          ガイド部材
３１２          ガイド部
３１４          ローラ収納室
３１６          第１回転ローラ
３２０          シャッター
３３０          Ｕ字状アーム部材
３３１          直線状アーム部
３３２          差し渡し部
３３３          固定用ボタン
３５０          座席部
３７０          抜け止め部材
３７１          筒状部
３７８          第２回転ローラ
【図１】
2005027764.tif 000003
【図２】
2005027764.tif 000004
【図３】
2005027764.tif 000005
【図４】
2005027764.tif 000006
【図５】
2005027764.tif 000007
【図６】
2005027764.tif 000008